(57)【特許請求の範囲】
【請求項１】
センサ装置（１１）を有するハンガー（１２）と，コンピュータ（２１）と，モニタを含む，デジタルサイネージシステム（１）であって，
前記センサ装置（１１）は，
前記ハンガー（１２）が，ハンガーかけにかけられているか否かを判断するための測定を行うセンサ部（１３）と，
前記センサ部（１３）からのセンシング情報を受け取りハンガーかけにかけられているか否かを判断するための判断部（１４）と，
前記センサ装置のＩＤ情報を記憶するＩＤ記憶部（１５）と，
前記判断部の判断情報を，前記ＩＤ記憶部に記憶される前記センサ装置の前記ＩＤ情報とともに，前記コンピュータへ送信するハンガーの送受信部（１６）と，
を有し，
前記コンピュータ（２１）は，
複数のセンサ装置について，それぞれのセンサ装置の前記ＩＤ情報と，それぞれのセンサ装置が設けられるハンガーにかけられている衣服に関する情報と，それぞれのセンサ装置が設けられるハンガーがハンガーかけから取り外されている時間とを関連付けて記憶するデータベース（２２）と，
前記ハンガーの送受信部（１６）が送信した，前記判断情報と前記ＩＤ情報とを受信するコンピュータの送受信部（２３）と，
前記コンピュータの送受信部（２３）が受信した前記判断情報及び前記ＩＤ情報に基づいて前記データベースに前記ＩＤ情報に関連したハンガーがハンガーかけから取り外されている時間を更新する処理を行う時間更新部（２４）と，
前記データベース（２２）から前記ＩＤ情報と関連して記憶されるハンガーにかけられている衣服に関する情報を読み出し，前記コンピュータの送受信部（２３）から送信させるための，衣服情報演算部（２５）を，有し，
前記デジタルサイネージシステム（１）は，前記ハンガー（１２）周辺を撮影して，前記ハンガーかけから前記ハンガー（１２）を手に取った顧客の顔に関する情報を抽出するための撮影装置をさらに有し，
前記コンピュータ（２１）は，前記撮影装置から前記ハンガーを手に取った顧客の顔に関する情報を受け取り，前記データベース（２２）から前記顧客が手に取った前記ハンガーの前記ＩＤ情報と関連して記憶される衣服の画像を読み出して，前記顧客の顔に関する情報と前記衣服の画像を合成し，前記顧客が衣服を着用している合成画像を生成する画像処理を行う画像処理部をさらに有し，
前記モニタは，
前記ハンガーかけから前記ハンガー（１２）を手に取った前記顧客が視認可能な位置に配置されており，
前記コンピュータの送受信部（２３）から送信された前記合成画像を受信して，前記合成画像を表示する，
ディジタルサイネージシステム（１）。
【請求項２】
前記センサ装置（１１）は，
前記ハンガー（１２）がハンガーかけから取り外された場合に電源がＯＮ状態となる，
請求項１に記載のディジタルサイネージシステム（１）。
【発明の詳細な説明】
【技術分野】
【０００１】
本発明は，顧客の衣服への興味度を適切に把握でき，顧客に対して衣服への購買欲を高めることができるディジタルサイネージシステムに関する。
【背景技術】
【０００２】
特開２００９−２３４７１２には，衣料品の商品管理システムが開示されている。このシステムは，「顧客が少しだけその衣料品に興味を持って，少しだけ衣料品を手で持つなどした場合に関して，それらの顧客動向についてきめ細かな情報収集」を行うためのシステムである。
【先行技術文献】
【特許文献】
【０００３】
【特許文献１】特開２００９−２３４７１２号公報
【発明の概要】
【発明が解決しようとする課題】
【０００４】
特開２００９−２３４７１２号のシステムは，顧客が衣料品を手に取ったか否かを判断できる。しかしながら，このシステムは，顧客の興味の深さを測ることはできない。また，このシステムは，顧客に対し販売促進を行うことはできない。【０００５】
そこで，本発明は，顧客の興味の深さを測定できるディジタルサイネージシステムを提供することを目的とする。【０００６】
本発明は，また，顧客に対し販売促進を行うことができるディジタルサイネージシステムを提供することを目的とする。  
【課題を解決するための手段】
【０００７】
本発明は，基本的には，顧客がハンガーを棚から取り出した時間を累計することで，顧客の興味の深さを測定できるという知見に基づく。【０００８】
また，本発明は，基本的には，顧客が手に取った衣料品情報を解析して，その衣料品に関する映像を顧客付近のモニタに映し出すことで，顧客の購買意欲を高めることができるという知見に基づくものである。【０００９】
本発明の第１の側面は，センサ装置１１を有するハンガー１２と，コンピュータ２１と，モニタを含む，ディジタルサイネージシステム１に関する。【００１０】
センサ装置１１は，ハンガー１２が，ハンガーかけにかけられているか否かを判断するための測定を行うセンサ部１３と，センサ部１３からのセンシング情報を受け取りハンガーかけにかけられているか否かを判断するための判断部１４と，センサ装置のＩＤを記憶するＩＤ記憶部１５と，判断部の判断情報を，ＩＤ記憶部に記憶されるセンサ装置のＩＤとともに，コンピュータへ送信するハンガーの送受信部１６と，を有する。【００１１】
コンピュータ２１は，複数のセンサ装置について，それぞれのセンサ装置のＩＤと，それぞれのセンサ装置が設けられるハンガーにかけられている衣服に関する情報と，それぞれのセンサ装置が設けられるハンガーがハンガーかけから取り外されている時間とを関連付けて記憶するデータベース２２と，ハンガーの送受信部１６が送信した，判断情報とＩＤ情報とを受信するコンピュータの送受信部２３と，コンピュータの送受信部２３が受信した判断情報及びＩＤ情報に基づいてデータベースにＩＤ情報に関連したハンガーがハンガーかけから取り外されている時間を更新する処理を行う時間更新部２４と，データベース２２からＩＤ情報と関連して記憶されるハンガーにかけられている衣服に関する情報を読み出し，コンピュータの送受信部２３から送信させるための，衣服情報演算部２５を，有する。【００１２】
モニタは，コンピュータの送受信部２３から送信された衣服に関する情報を受信して，衣服に関する表示を行う。【００１３】
本発明の第１の側面の好ましい態様は，ハンガー１２周辺を撮影する撮影装置をさらに有する。そして，コンピュータ２１は，撮影装置からハンガーを手に取った顧客の顔に関する情報を受け取り，データベース２２からＩＤ情報と関連して記憶されるハンガーにかけられている衣服に関する情報を読み出して，顧客が衣服を着用している画像を合成する処理を行う画像処理部をさらに有する。そして，コンピュータ２１は，コンピュータの送受信部２３から画像処理した画像を，モニタに送信する。【００１４】
本発明の第１の側面の好ましい態様は，センサ装置１１の電源が，ハンガー１２がハンガーかけから取り外された場合にＯＮ状態となるものである。
【発明の効果】
【００１５】
本発明は，顧客がハンガーを棚から取り出した時間を累計することで，顧客の興味の深さを測定できる。【００１６】
また，本発明は，顧客が手に取った衣料品情報を解析して，その衣料品に関する映像を顧客付近のモニタに映し出すことで，顧客の購買意欲を高めることができる。
【図面の簡単な説明】
【００１７】
【図１】図１は，本発明のシステムの概略図である。
【図２】図２は，本発明のハンガーの実施態様を説明するための概略図である。
【発明を実施するための形態】
【００１８】
図１は，本発明のシステムの概略図である。図１に示されるように，本発明の第１の側面は，センサ装置１１を有するハンガー１２と，コンピュータ２１と，モニタ（図示しない）を含む，ディジタルサイネージシステム１に関する。
【００１９】
図１に示されるように，センサ装置１１は，センサ部１３と，判断部１４と，ＩＤ記憶部１５と，送受信部１６とを有する。センサ部１３は，ハンガー１２がハンガーかけにかけられているか否かを判断するための測定を行う。センサ部１３の例は，圧力センサ，ＺｉｇＢｅｅ，ＲＦＩＤチップである。
【００２０】
図２は，本発明のハンガーの実施態様を説明するための概略図である。図２に示されるように，ハンガーの例は，ハンガーが，ハンガーの芯と，芯に取り付けられたばね部と，ハンガーがハンガーかけから取り外された状謡で，ばねにより電源がＯＮする電源系とを有するものである。なお，本発明の電源ＯＮ／ＯＦＦ機構は，ばねによるものに限定されない。たとえば，磁石や圧力センサを用いて電源のＯＮ／ＯＦＦを制御してもよい。具体的には，２つの磁石が接着すると電源がＯＮとなり，ハンガーがハンガーかけにかけられるとハンガーの重さで磁石が離れ，電源がＯＦＦとなるものがあげられる。圧力センサは，たとえば，ハンガーがハンガーかけにかけられている場合は，圧力センサに芯があたらず，ハンガーがハンガーかけから取り外された場合は芯が圧力センサにあたるようにして，その場合に圧力センサから電源へ電源をＯＮとするように指令が出るようにすればよい。
【００２１】
判断部１４は，センサ部１３からのセンシング情報を受け取りハンガーかけにかけられているか否かを判断するための装置である。
【００２２】
ＩＤ記憶部１５は，センサ装置のＩＤを記憶するための装置である。
【００２３】
ハンガーの送受信部１６は，判断部の判断情報を，ＩＤ記憶部に記憶されるセンサ装置のＩＤとともに，コンピュータへ送信するための装置である。
【００２４】
ハンガー１２が，ハンガーかけにかけられている状態からハンガーかけから取り外された状態に変化する。すると，図１の例では，圧力センサであるセンサ部１３が圧力の変化を感じて，圧力情報を判断部１４へ伝える。判断部１４は，記憶部から閾値を読み出して，伝えられた圧力と所定の閾値とを比較し，ハンガーかけにかけられているか否かを判断する。判断部１４が，ハンガーがハンガーかけから取り外された状態であると判断した場合，ＩＤ記憶部１５からセンサ装置のＩＤ（すなわち，ハンガーにかけられている衣料品のＩＤ）を読み出して，判断部の判断情報（ハンガーがハンガーかけから取り外された状態であるという情報）を，センサ装置のＩＤとともに，コンピュータへ送信する。
【００２５】
図２の例では，ハンガーがハンガーかけにかけられている状態では，図２の右上図に示されるように，ハンガーの芯が，上方へ引かれており，ハンガーの芯がプレートから外れた状態にある。一方，ハンガーがハンガーかけから取り外された状態では，図２の右下図に示されるように，ハンガーの芯がばねによりプレート側に押される。その結果，ハンガーの芯がプレートと接触する。すると，電源系がＯＮとなる。このようにして，ハンガーの芯，プレート，及びばねを含む系がセンサ部１３として機能する。また，電源系がＯＮとなったという情報を，判断部１４の判断情報として利用できる。すなわち，電源系がＯＮとなった場合に，ＩＤ記憶部１５からセンサ装置のＩＤ（すなわち，ハンガーにかけられている衣料品のＩＤ）を読み出して，センサ装置のＩＤとともに，コンピュータへ送信する。
【００２６】
コンピュータ２１は，データベース２２と，コンピュータの送受信部２３と，時間更新部２４と，衣服情報演算部２５とを有する。
【００２７】
データベース２２は，複数のセンサ装置について，それぞれのセンサ装置のＩＤと，それぞれのセンサ装置が設けられるハンガーにかけられている衣服に関する情報と，それぞれのセンサ装置が設けられるハンガーがハンガーかけから取り外されている時間とを関連付けて記憶する。
【００２８】
センサ装置のＩＤは，ハンガーにかかっている衣料品のＩＤと同じであっても良い。衣服に関する情報の例は，衣服の製造企業，衣服のブランド，衣服の生産者，生地の生産者，衣服の値段，製造者，画像，及び動画のいずれかひとつ以上である。画像の例は，モデルがそのＩＤで特定される衣料品を着衣した状態を示す画像である。また，後述する画像合成に用いるための実際にその衣料品を着衣した状態を示す画像であっても良い。動画は，その衣服のＰＲ動画であっても良い。
【００２９】
コンピュータの送受信部２３は，ハンガーの送受信部１６が送信した判断情報とＩＤ情報とを受信するための装置である。
【００３０】
時間更新部２４は，コンピュータの送受信部２３が受信した判断情報及びＩＤ情報に基づいてデータベースに記憶されるＩＤ情報に関連したハンガーがハンガーかけから取り外されている時間を更新する処理を行うための装置である。すなわち，時間更新部２４は，あるＩＤで特定される衣料品が，ハンガーかけから取り外された時間を計測する。そして，データベースに記憶されているこれまでの時間を読み出し，読み出した時間と計測した時間とを加算する。その上で，加算した時間をデータベースに入力して，ＩＤ情報に関連したハンガーがハンガーかけから取り外されている時間を更新する。
【００３１】
本発明のシステムは，時間更新部２４を有しているため，ある衣服がどれだけ顧客の手にとられたかの総合時間を適切に把握できる。すなわち，実際に販売されたか否かだけではなく，どれだけ衣服が興味をもたれたかについても適切に把握することができることとなる。
【００３２】
衣服情報演算部２５は，たとえば，モニタに表示させる画像，動画情報を送信するため，データベース２２からＩＤ情報と関連して記憶されるハンガーにかけられている衣服に関する情報を読み出す。そして，衣服情報演算部２５は，読み出した情報を，コンピュータの送受信部２３から送信させる。
【００３３】
本発明の第１の側面の好ましい態様は，ハンガー１２周辺を撮影する撮影装置をさらに有する。そして，撮影装置は，顧客の顔情報を抽出する。顔上情報を抽出する方法は公知である。すなわち，顧客と風景とは，画像情報が異なるため，画像の変化を把握することで顧客の映像のみを抽出することができる。そして，コンピュータ２１は，撮影装置からハンガーを手に取った顧客の顔に関する情報を受け取る。すると，コンピュータ２１は，
データベース２２からＩＤ情報と関連して記憶されるハンガーにかけられている衣服に関する情報を読み出す。この衣服に関する情報は，画像合成に用いるための実際にその衣料品を着衣した状態を示す画像である。そして，読み出した着衣した状態を示す画像に，顧客の顔を組み合わせて，顧客が衣服を着用している画像を合成する。そして，コンピュータ２１は，コンピュータの送受信部２３から画像処理した画像を，モニタに送信する。
【００３４】
モニタは，コンピュータの送受信部２３から送信された衣服に関する情報を受信して，衣服に関する表示を行う。モニタは，図示しないアンテナなどの受信部を有している。そして，受信部が所定の情報を受信し，画像を合成して，モニタに表示する。このようにして，衣服に関する情報がモニタに表示され，顧客の興味を惹くことができることとなる。
【産業上の利用可能性】
【００３５】
本発明は，広告産業や広告関連装置業の分野で好ましく利用されうる。  
【符号の説明】
【００３６】
１  ディジタルサイネージシステム
１１  センサ装置  
１２  ハンガー  
１３  センサ部
１４  判断部
１５  ＩＤ記憶部
１６  ハンガーの送受信部
２１  コンピュータ
２２  データベース
２３  コンピュータの送受信部
２４  時間更新部
２５  衣服情報演算部
【図１】
0005616953.tif 000002
【図２】
0005616953.tif 000003